(57)【特許請求の範囲】
【請求項１】
高周波信号が入力されるアンテナ入力端子と、このアンテナ入力端子に接続されるとともに前記高周波信号をデジタル信号に変換する復調部と、この復調部から出力される復調信号が供給される制御部と、この制御部にプリント基板のパターンを介して接続されたメモリとを備え、前記復調信号は、開始信号とこの開始信号後に送られるデータ信号とこのデータ信号後に送られる終了信号から構成され、前記開始信号により前記復調信号の前記制御部への読み込みを開始し、次に送られてくる終了信号の期間において前記制御部に読み込まれた前記復調信号を前記メモリに書き込むことにより、前記制御部の前記メモリへのアクセス時に発生するノイズの前記復調部への進入を防止する無線受信装置。
【請求項２】
前記復調部から出力される前記復調信号が一方の入力に供給されるとともに、他方の入力には前記制御部から出力される復調信号が供給される合成器を設け、この合成器から出力される疑似終了信号を次の復調信号の開始信号とする請求項１に記載の無線受信装置。
【発明の詳細な説明】
【０００１】
【発明の属する技術分野】
本発明は、高周波信号を受信する無線受信装置に関するものである。
【０００２】
【従来の技術】
以下、従来の無線受信装置について説明する。従来の無線受信装置は、図７に示すように微弱な高周波信号を受信するアンテナ入力端子１と、このアンテナ入力端子１に接続された復調部２と、この復調部２に接続された制御部３と、この制御部３にプリント基板のパターン５を介して接続されたメモリ４とで構成されていた。
【０００３】
以上のように構成された無線受信装置について以下にその動作を説明する。アンテナ入力端子１から入力された微弱な高周波信号は復調部２でデジタル信号に変換され、マイクロコンピュータで構成された制御部３で制御された後、その出力はメモリ４にその都度書き込まれるものであった。
【０００４】
【発明が解決しようとする課題】
しかしながらこのような従来の構成では、制御部３がプリント基板のパターン５を介してメモリ４を常時アクセスすることになる。このとき、デジタル信号の高周波ノイズ６が発生し、微弱電波を受信中にこのノイズ６が復調部２に進入して受信した復調信号を誤らせるという問題があった。この問題を解決する方法として、例えば特開平９−２６３０２２号公報がある。これは、制御部３を動作させるクロック７を制御してクロック信号を遅くすることにより、高周波ノイズ６の発生を軽減しようとするものである。
【０００５】
しかしながら例えクロック信号を遅くしたところで、制御部３がメモリ４をアクセスするときにパターン５から高周波ノイズ６が発生し、これが復調部２に入り、復調信号を誤らせることになり、結論として、程度は軽減したとしても、やはり制御部３で受信する受信信号を誤らせるということが考えられる。
【０００６】
そこで本発明は、このような問題を解決するもので、ノイズによる誤りのない受信信号を得る無線受信装置を提供することを目的としたものである。
【０００７】
【課題を解決するための手段】
この目的を達成するために本発明の無線受信装置は、復調信号は、開始信号とこの開始信号後に送られるデータ信号とこのデータ信号後に送られる終了信号から構成され、前記開始信号により前記復調信号の制御部への読み込みを開始し、次に送られてくる終了信号の期間において前記制御部に読み込まれた前記復調信号をメモリに書き込む。
【０００８】
これにより、制御部のメモリへのアクセス時に発生するノイズの復調部への進入を防止する。
【０００９】
従って、ノイズによる誤りのない受信信号を得ることができる。
【００１０】
【発明の実施の形態】
本発明の請求項１に記載の発明は、高周波信号が入力されるアンテナ入力端子と、このアンテナ入力端子に接続されるとともに前記高周波信号をデジタル信号に変換する復調部と、この復調部から出力される復調信号が供給される制御部と、この制御部にプリント基板のパターンを介して接続されたメモリとを備え、前記復調信号は、開始信号とこの開始信号後に送られるデータ信号とこのデータ信号後に送られる終了信号から構成され、前記開始信号により前記復調信号の前記制御部への読み込みを開始し、次に送られてくる終了信号の期間において前記制御部に読み込まれた前記復調信号を前記メモリに書き込むことにより、前記制御部の前記メモリへのアクセス時に発生するノイズの前記復調部への進入を防止する無線受信装置である。
【００１１】
これにより、データ信号の受信中はメモリへのアクセスが禁止されるので、制御部がメモリをアクセスすることによる高周波ノイズが発生することがない。したがって、復調部においてはこのノイズによりデータを誤ることがない。
【００１２】
また、このように終了信号受信中にデータを格納するので、例えこのときにノイズが発生したとしてもデータ誤りをすることがない。さらにデータ毎にデータの正誤判定ができるので、処理速度を低下させずに受信性能を向上させることができる。
【００１３】
さらに、制御部はシリアル入力端子を有しているので、復調信号からデータ信号のみを自動抽出でき、制御部における制御の負担が少なくなる。
【００１４】
さらにまた、終了信号の受信中は予め定められた時間信号の受信を禁止するので、終了信号受信中に例えノイズが発生し終了信号を誤らせても、次データの開始信号を誤ることがない。
【００１５】
請求項２に記載の発明は、復調部から出力される復調信号が一方の入力に供給されるとともに、他方の入力には制御部から出力される復調信号が供給される合成器を設け、この合成器から出力される擬似終了信号を次の復調信号の開始信号とする請求項２に記載の無線受信装置である。
【００１６】
このように合成部を有しているので、終了信号受信中におけるメモリをアクセスするときに、例えノイズが発生し復調信号を誤らせても、合成部によって復調信号を修復することができるので、次データの開始信号を誤ることがない。
【００１７】
以下、図面に従って本発明の実施の形態を説明する（なお、本発明における微弱電波とは、３ｍ法において、電界強度が５００マイクロボルトパーメートル以下の電波をいう。）。
【００１８】
（実施の形態１）
図１は本発明の実施の形態１による無線受信装置のブロック図である。図１において、１１は微弱電波を受信するアンテナ１０の入力端子である。このアンテナ１０の入力端子１１は復調部１２に接続されており、この復調部１２の出力は制御部１３に接続されている。この制御部１３とメモリ１４との間はプリント基板上に形成されたパターン１５でバスラインが接続されている。
【００１９】
以上のように構成された無線受信装置において、以下にその動作を説明する。入力端子１１に入力された微弱高周波信号は復調部１２で高周波信号からデジタル信号に変換される。その信号は制御部１３に入力される。そして、その入力された信号は制御部１３によってメモリ１４に記憶されるわけである。
【００２０】
ここで、復調信号読み込みの様子を図２に示すタイミングチャートおよび図３に示すフローチャートで説明する。図２において、１８は復調部１２から出力された復調信号である。この復調信号１８は開始信号１９と終了信号２０の間に１バイト（８ビット）のデータ信号２１が設けられた構成となっている。そして、この復調信号１８を受けるには読み込み信号２２によって、復調信号１８を構成する各ビットの中央でその時の状態を読み込むようになっている。
【００２１】
処理手順としては、図３に示すように、まず制御部１３は無線を受信するためにメモリ１４とのアクセスを禁止する（Ｓ１）。それで例えば開始信号１９の立ち下がりで読み込みを開始し（Ｓ２）、続いてデータ信号２１を構成する各ビットの中心で、この読み込み信号２２が発生し制御部１３内に読み込むようになっている（Ｓ４）。そして、終了信号２０の読み込み信号２２ａがきた後で、メモリ１４へアクセスを許可し（Ｓ７）、このデータ信号２１をメモリ１４に記憶するようにしている（Ｓ８）。
【００２２】
本実施の形態１においては、復調信号の通信速度は４８００ｂｐｓであるので、終了信号２０の読み込み信号がきてから次データの開始信号の立ち下がりまでの時間は０．１ｍｓｅｃとなる。だから、この０．１ｍｓｅｃの間にメモリ１４に書き込むのである。したがって、制御部１３とメモリ１４との間でデータのやりとりをするとパターン１５のバスラインからは高周波ノイズ１６が発生することになる。しかし、それは制御信号の間であるので、例え微弱信号であったとしてもデータ信号２１に悪影響を与えることはない。すなわち、データの誤りをなくすことができる。
【００２３】
また、シリアル入力端子１３ａを有している制御部１３を用いれば、復調部１２からの復調信号１８のデータ信号２１を自動抽出することができるので、制御部１３における負担が軽くなる。
【００２４】
さらに、終了信号２０の受信中は予め定められた時間信号の受信を禁止することで、終了信号２０の受信中に例えノイズが発生し終了信号２０を誤らせたとしても、次データの開始信号１９を誤ることがない。
【００２５】
また、復調部１２の出力を合成部の一方の入力に接続し、この合成部の出力を制御部１３に接続し、この制御部１３からの出力を合成部のもう一方の入力に接続する構成とし、終了信号２０を受信中は終了信号２０を擬似的に作ることで、終了信号２０の受信中におけるメモリ１４をアクセスするときに、例えノイズが発生し復調信号を誤らせても、合成部によって復調信号を修復することで、次データの開始信号を誤ることがない。
【００２６】
なお、本発明の実施の形態では、通信速度を４８００ｂｐｓとしたが、他の通信速度でも良い。また、開始信号１９は立ち下がりで読み込み開始としたが、立ち上がりで読み込みを開始しても良い。なお１７は制御部１３の動作タイミングをとるクロックである。
【００２７】
（実施の形態２）
次に、実施の形態２について説明する。図４において、３１は微弱電波を受信するアンテナ３０の入力端子である。このアンテナ３０の入力端子３１には復調部３２が接続されており、この復調部３２の出力には格納部３３が設けられている。格納部３３の出力は制御部３４の処理部３５に接続されている。また、３７は制御部３４の外部に設けられたメモリであり、プリント基板に構成されたパターン３８のバスラインを介して接続されている。なお４０は制御部３４の動作タイミングをとるクロックである。
【００２８】
以上のように構成された無線受信装置について、以下にその動作を説明する。入力端子３１に入力された信号は復調部３２で高周波信号からデジタル信号に変換される。その信号は格納部３３に入力され、格納部３３では全ての受信データを格納した後、制御部３４に出力し、この制御部３４によってメモリ３７に記憶するわけである。
【００２９】
復調部３２から出力される復調信号の読み込みの様子を図５に示すタイミングチャートおよび図６に示すフローチャートで説明する。図５において、４１は復調部３２から出力された復調信号である。この復調信号４１には開始信号４２と終了信号４３の間に１バイト（８ビット）のデータ信号４４が設けられた構成となっている。そして、この復調信号４１を受けるには読み込み信号４８によって、復調信号４１を構成する各ビットの中央でその時の状態を読み込むようになっている。
【００３０】
処理手順としては、図６に示すように、まず制御部３４は無線を受信するためにメモリ３７とのアクセスを禁止する（Ｓ１１）。それで例えば開始信号４２の立ち下がりで読み込みを開始し（Ｓ１２）、続いてデータ信号４４を構成する各ビットの中心で、この読み込み信号４８が発生し格納部３３内に読み込むようになっている（Ｓ１４）。終了信号４３に続いて次データの開始信号４５の立ち下がりで読み込みを開始し、読み込み信号４８によってデータ信号４７を読み込む（Ｓ１２からＳ１７を繰り返す）。なお４６はデータ信号４７の終了信号である。このようにして、連続するデータ信号を全て格納部３３に収納することにより、入力端子３１に微弱の高周波信号を受信している間は制御部３４がメモリ３７をアクセスしないので、この間はパターン３８から高周波ノイズ３９が出ることはない。したがって、たとえアンテナ３０からの入力信号が微弱であったとしても復調信号４１を誤らせることはない。
【００３１】
また、制御部３４内にメモリ３６を設けることで、格納部３３を無くすことができる。すなわち復調部３２から直接制御部３４に入力されても、復調部３２の全ての出力データをメモリ３６に一旦格納することができる。そのため、入力端子３１に高周波信号を受信している間は制御部３４がメモリ３７をアクセスしないので、この間はパターン３８から高周波ノイズ３９が出ることはない。したがって、復調信号４１を誤らせることはない。
【００３２】
なお、開始信号は立ち下がりで読み込み開始としたが、立ち上がりで読み込みを開始しても良い。また、本実施の形態１と実施の形態２においては、微弱電波を受信する無線受信装置について説明したが、これは微弱電波でなくとも良い。
【００３３】
【発明の効果】
以上のように本発明によれば、復調信号は、開始信号とこの開始信号後に送られるデータ信号とこのデータ信号後に送られる終了信号から構成され、前記開始信号により前記復調信号の制御部への読み込みを開始し、次に送られてくる終了信号の期間において前記制御部に読み込まれた前記復調信号を前記メモリに書き込む。
【００３４】
これにより、制御部のメモリへのアクセス時に発生するノイズが復調部に進入することがなく、受信信号を誤らずに受信することができる。
【図面の簡単な説明】
【図１】  本発明の実施の形態１における無線受信装置のブロック図
【図２】  同、復調信号のタイミングチャート
【図３】  同、データ受信のフローチャート
【図４】  実施の形態２における無線受信装置のブロック図
【図５】  同、復調信号のタイミングチャート
【図６】  同、データ受信のフローチャート
【図７】  従来の無線受信装置のブロック図
【符号の説明】
１０  アンテナ
１１  入力端子
１３  制御部
１４  メモリ
１５  パターン
１６  ノイズ
１７  クロック
【図１】
0004103199.tif 000002
【図２】
0004103199.tif 000003
【図３】
0004103199.tif 000004
【図４】
0004103199.tif 000005
【図５】
0004103199.tif 000006
【図６】
0004103199.tif 000007
【図７】
0004103199.tif 000008